(57)【特許請求の範囲】
【請求項１】
表示対象画像を立体視可能に表示する立体表示モードと、表示対象画像を立体視不能に表示する平面表示モードとを有する画像表示装置であって、
画像を加工する加工手段と、
上記加工手段により加工された後の加工後画像、又は、上記加工手段により加工される前の加工前画像を表示対象画像として選択する選択手段であって、表示モードを上記平面表示モードから上記立体表示モードに切り替えるためのユーザ操作に応じて、表示対象画像として選択する画像を上記加工後画像から上記加工前画像に切り替える選択手段と、を備えている、
ことを特徴とする画像表示装置。
【請求項２】
上記選択手段は、表示モードを上記立体表示モードから上記平面表示モードに切り替えることを指示するユーザ操作に応じて、表示対象画像として選択する画像を上記加工前画像から上記加工後画像に切り替える、
ことを特徴とする請求項１に記載の画像表示装置。
【請求項３】
上記加工手段による加工内容をユーザに選択させるためのユーザインタフェースを表示するためのＵＩ表示手段であって、表示モードが平面表示モードであるときには、該ユーザインタフェースを表示し、表示モードが立体表示モードであるときには、該ユーザインタフェースを表示しないＵＩ表示手段を更に備えている、
ことを特徴とする請求項１または２に記載の画像表示装置。
【請求項４】
平面画像または立体画像を受信する画像受信手段と、
上記画像受信手段が平面画像を受信すると、表示モードを上記平面表示モードに切り替え、上記画像受信手段が立体画像を受信すると、表示モードを上記立体表示モードに切り替えるモード切替手段と、を更に備えている、
ことを特徴とする請求項１から３までの何れか１項に記載の画像表示装置。
【請求項５】
上記加工手段は、画像を回転するものである、
ことを特徴とする請求項１から４までの何れか１項に記載の画像表示装置。
【請求項６】
表示対象画像を立体視可能に表示する立体表示モードと、表示対象画像を立体視不能に表示する平面表示モードとを有し、画像を加工する加工手段を備える画像表示装置における画像表示方法であって、
表示モードを上記平面表示モードから上記立体表示モードに切り替えることを指示するユーザ操作に応じて、表示対象画像とする画像を上記加工手段により加工された後の加工後画像から上記加工手段により加工される前の加工前画像に切り替える画像切替ステップを含んでいる、
ことを特徴とする画像表示方法。
【請求項７】
コンピュータを請求項１から５までのいずれか１項に記載の画像表示装置として動作させるためのプログラムであって、上記コンピュータを上記画像表示装置の各手段として機能させるプログラム。
【請求項８】
請求項７に記載のプログラムを記録したコンピュータ読み取り可能な記録媒体。
【発明の詳細な説明】
【技術分野】
【０００１】
本発明は、画像を立体視可能又は立体視不能に表示する画像表示装置および画像表示方法に関する。
【背景技術】
【０００２】
近年、テレビジョン受像機（以降、「テレビ」と記す）に求められる機能が多様化してきている。例えば、従来から普及している画像を平面視可能に表示（以降、２Ｄ表示と呼称する）するテレビの新たな機能として、画像を立体視可能に表示（以降、３Ｄ表示と呼称する）することができるテレビが開発され、普及してきている。
【０００３】
このような３Ｄ表示可能なテレビは、３Ｄ表示可能な３Ｄ画像を撮像可能な３Ｄデジタルカメラと併用されることが多い。３Ｄデジタルカメラでは、１回の撮像により２Ｄ画像ファイルと３Ｄ画像ファイルとが同時に生成される。３Ｄ画像ファイルのフォーマットとしては、左目用画像と当該左目用画像に対して視差を有する右目用画像とを格納可能なマルチピクチャフォーマット（Multi-Picture Format）形式（拡張子は.mpo）が一般的である。
【０００４】
このように、３Ｄ表示と２Ｄ表示とで画像の表示が可能なテレビでは、３Ｄ表示と２Ｄ表示が切り替わることによって、ユーザの目に負担をかけてしまっていた。
【０００５】
これに対し、特許文献１には、ユーザの目の負担を軽減するための技術として、複数の画像を順に表示する際に、２Ｄ表示に対応した画像である２Ｄ画像と、３Ｄ画像とが混在する場合に、２Ｄ表示に対応した画像を擬似的に３Ｄ表示する（いわゆる、擬似３Ｄ表示）ことによって全ての画像を３Ｄ表示し、２Ｄ表示と３Ｄ表示とが切り替わらないようにする技術が開示されている。また、特許文献１には、２Ｄ表示から３Ｄ表示に切り替わる場合には、ユーザの目が３Ｄ表示に慣れやすくするために、２Ｄ表示と３Ｄ表示とが切り替わる間に他の画像を挿入する技術が開示されている。
【先行技術文献】
【特許文献】
【０００６】
【特許文献１】特開２００８−５２０３号公報（２００８年１月１０日公開）
【発明の概要】
【発明が解決しようとする課題】
【０００７】
しかし、特許文献１に記載の技術では、画像に拡大、縮小、回転などといった加工が加えられている場合には正確に３Ｄ表示がされず、ユーザの目に負担をかけてしまうという問題があった。例えば、３Ｄ画像、および、疑似３Ｄ表示に対応するために２Ｄ画像と２Ｄ画像に対して視差を有する画像とからなる擬似３Ｄ画像を拡大した場合には、２つの画像の視差も大きくなってしまっていた。また、３Ｄ画像及び疑似３Ｄ画像を回転した場合には、２つの画像の視差がずれてしまっていた。このように、加工が加えられている画像を３Ｄ表示した場合に適切な視差の画像がユーザに提示されず、ユーザの目に負担をかけてしまうという問題があった。
【０００８】
本発明は、上記の課題を解決するためになされたものであり、ユーザの目の負担をより軽減することのできる画像表示装置を提供することを目的としている。
【課題を解決するための手段】
【０００９】
本発明に係る画像表示装置は、上記課題を解決するために、表示対象画像を立体視可能に表示する立体表示モードと、表示対象画像を立体視不能に表示する平面表示モードとを有する画像表示装置であって、画像を加工する加工手段と、上記加工手段により加工された後の加工後画像、又は、上記加工手段により加工される前の加工前画像を表示対象画像として選択する選択手段であって、表示モードを上記平面表示モードから上記立体表示モードに切り替えるためのユーザ操作に応じて、表示対象画像として選択する画像を上記加工後画像から上記加工前画像に切り替える選択手段と、を備えていることを特徴としている。
【００１０】
上記の構成によれば、画像を上記立体表示モードで表示する場合には、表示対象画像として上記加工前画像を選択することによって、加工される前の画像を上記立体表示モードで表示する。これによって、上記立体表示モードで画像を表示する際に、上記平面表示モードにて表示されている間に行われた画像の加工、または、以前に上記平面表示モードにて表示されたときに行われた画像の加工が反映されて視差がずれた上記加工後画像が表示されることを防ぐことができる。したがって、視差のずれた上記加工後画像を上記立体表示モードでユーザに提示してしまうことを回避し、ユーザの目の負担をより確実に軽減することができる。
【００１１】
本発明に係る画像表示装置における上記選択手段は、表示モードを上記立体表示モードから上記平面表示モードに切り替えることを指示するユーザ操作に応じて、表示対象画像として選択する画像を上記加工前画像から上記加工後画像に切り替えることが好ましい。
【００１２】
上記の構成によれば、画像を上記平面表示モードで表示する場合に、上記立体表示モードで画像を表示する場合に反映されていなかった画像の加工を再び反映した状態で画像を表示する。これによって、ユーザの目に負担の少ない平面表示モードにて画像を表示する場合には、ユーザは、ユーザ自身の好みの加工を加えた上記加工後画像を楽しむことができる。
【００１３】
本発明に係る画像表示装置は、上記加工手段による加工内容をユーザに選択させるためのユーザインタフェースを表示するためのＵＩ表示手段であって、表示モードが平面表示モードであるときには、該ユーザインタフェースを表示し、表示モードが立体表示モードであるときには、該ユーザインタフェースを表示しないＵＩ表示手段を更に備えていることが好ましい。
【００１４】
上記の構成によれば、ＵＩ表示手段は、画像の加工を反映した上記加工後画像を表示する上記平面表示モードにおいては上記ユーザインタフェースを表示し、画像の加工を反映せず上記加工前画像を表示する上記立体表示モードにおいては上記ユーザインタフェースを表示しない。これによって、上記平面表示モードにおいては上記ユーザインタフェースから上記加工内容を選択することによる画像の加工を可能にし、上記立体表示モードにおいては上記ユーザインタフェースを表示しないことで画像の加工を不可にすることができる。したがって、上記立体表示モードで画像を表示しているときに、ユーザ自身によって、ユーザの目に負担となる画像の加工を行えなくすることができる。
【００１５】
本発明に係る画像表示装置は、平面画像または立体画像を受信する画像受信手段と、上記画像受信手段が平面画像を受信すると、表示モードを上記平面表示モードに切り替え、上記画像受信手段が立体画像を受信すると、表示モードを上記立体表示モードに切り替えるモード切替手段と、を更に備えていることが好ましい。
【００１６】
上記の構成によれば、受信する画像が、立体表示モードに予め対応しており、視差のある２つの画像からなる立体画像であるか、または、平面表示モードに予め対応している１つの画像からなる平面画像であるかによって、表示モードを切り替える。これによって、ユーザは、立体画像が入力された場合には画像を立体表示された画像を楽しむことができ、平面画像が入力された場合には平面表示された画像に好みの加工を加えることができる。
【００１７】
本発明に係る画像表示装置における上記加工手段は、画像を回転するものであることが好ましい。
【００１８】
上記の構成によれば、上記加工手段において行われる加工が回転である場合のように、上記立体画像を構成する２つの画像の視差がずれる（すなわち、視差が保存されない）加工がなされた場合に、視差のずれた上記加工後画像を上記立体表示モードでユーザに提示してしまうことを回避することができる。なお、画像をモノトーンで表示する場合のように、視差がずれない（すなわち、視差が保存される）加工がなされた場合には、加工を反映した画像を上記立体表示モードにて表示してもよい。視差が保存されない加工としては、回転の他に、拡大、縮小などを挙げることができる。
【００１９】
本発明に係る画像表示装置における画像表示方法は、上記課題を解決するために、表示対象画像を立体視可能に表示する立体表示モードと、表示対象画像を立体視不能に表示する平面表示モードとを有し、画像を加工する加工手段を備える画像表示装置における画像表示方法であって、表示モードを上記平面表示モードから上記立体表示モードに切り替えることを指示するユーザ操作に応じて、表示対象画像とする画像を上記加工手段により加工された後の加工後画像から上記加工手段により加工される前の加工前画像に切り替える画像切替ステップを含んでいることを特徴としている。
【００２０】
上記の構成によれば、画像表示装置について既に説明した効果と同様の効果を得ることができる。
【００２１】
なお、コンピュータを本発明に係る画像表示装置として動作させるためのプログラムであって、上記コンピュータを上記画像表示装置の各手段として機能させることを特徴とするプログラム、及び、それらのプログラムを記録したコンピュータ読み取り可能な記録媒体も本発明の範疇に含まれる。
【発明の効果】
【００２２】
本発明によれば、視差のずれた画像を立体表示モードでユーザに提示してしまうことを回避し、ユーザの目の負担をより確実に軽減することができる。
【図面の簡単な説明】
【００２３】
【図１】本実施形態に係る３ＤＴＶの構成を示すブロック図である。
【図２】本実施形態に係る３ＤＴＶを備えたシステムの構成を示す斜視図である。
【図３】本実施形態に係る２Ｄ／３Ｄ処理部の構成を示すブロック図である。
【図４】本実施形態に係るシステムにおけるリモコンの操作面の一例を示す平面図である。
【図５】本実施形態において２Ｄ表示モードにてＬＣＤに表示される画像及び加工ＵＩの一例を示す図であり、（ａ）は加工部において何も加工されていない加工後画像に加工ＵＩが重畳されて表示される場合の画像及び加工ＵＩの一例であり、加工部において拡大加工された加工後画像に加工ＵＩが重畳されて表示される場合の画像及び加工ＵＩの一例である。
【図６】本実施形態において３Ｄ表示モードにてＬＣＤに表示される画像の一例を示す図である。
【図７】本実施形態にかかるＣＰＵの表示モード切替処理の流れを示すフローチャートである。
【図８】本実施形態において画像の種類と表示モードとの関係を示した図である。
【図９】本実施形態において画像の種類が変化した場合、および、表示モードが切り替えられた場合の状態遷移を示す状態遷移図である。
【図１０】本実施形態において文字データなどが重畳される加工が行なわれている画像の各表示モードにおける表示の一例を示す図であり、（ａ）は取得した画像が２Ｄ表示モードにて表示される場合の表示の一例を示し、（ｂ）は取得した画像が３Ｄ表示モードにて表示される場合の表示の一例を示している。
【図１１】本実施形態において画像同士を合成する加工が行われている画像を表示する場合の各表示モードにおける表示の一例を示す図であり、（ａ）は２つの画像が２Ｄ表示モードにて同時に表示される場合の表示の一例を示し、（ｂ）は、２つの画像のうち一方が３Ｄ表示モードにて表示される場合の表示の一例を示している。
【図１２】本実施形態におけるサムネイル表示されている画像の各表示モードにおける表示の一例を示す図であり、（ａ）は２Ｄ表示モードにてサムネイル表示している場合の表示の一例を示し、（ｂ）はサムネイル表示される画像のうち、特定の画像を３Ｄ表示モードにて表示している場合の表示の一例を示している。
【発明を実施するための形態】
【００２４】
本発明の実施の形態を図面に基づいて以下に説明する。
【００２５】
なお、本実施形態に係る画像表示装置は、画像を立体視可能に表示することができる、すなわち３Ｄ表示が可能なテレビ（以降、３ＤＴＶと呼称する）によって実現されているため、以下では画像表示装置が３ＤＴＶである場合を例に挙げて説明する。
【００２６】
〔システムの構成〕
本実施形態に係る３ＤＴＶを備えるシステムを、図２を参照して説明する。図２は、本実施形態に係る３ＤＴＶを備えたシステムの構成を示す斜視図である。図２に示すように、本実施形態に係る３ＤＴＶ１を備えたシステムは、左目用シャッターと右目用シャッターとを備えたシャッター眼鏡３とを備えていることによって、画像を立体視可能に表示する。具体的には、本実施形態に係る３ＤＴＶは、左目用画像と当該左目用画像に対して視差を有する右目用画像とを交互に表示する表示のタイミングに同期して、左目用画像が表示されている期間は左目用シャッターを開いて右目用シャッターを閉じ、右目用画像が表示されている期間は左目用シャッターを閉じて右目用シャッターを開くようにシャッター眼鏡を制御することによって画像を立体視可能に表示する。また、本実施形態に係る３ＤＴＶ１を備えたシステムは、図１に示すように、シャッター眼鏡３の他に、ユーザ操作による指示を３ＤＴＶ１に送信するリモコン２を備えている。
【００２７】
なお、本発明に係る３ＤＴＶの３Ｄ方式はもちろん、このようなフレームシーケンシャル方式に限定されるものではない。例えば、サイドバイサイド方式、トップアンドボトム方式などの３Ｄ方式によって画像を３Ｄ表示してもよい。
【００２８】
〔３ＤＴＶの構成〕
図１は３ＤＴＶ１の構成を示すブロック図である。
【００２９】
３ＤＴＶ１は、図１に示す構成を有することによって、画像の表示モードを、画像を２Ｄ表示する、すなわち、画像を立体視不能（平面視可能）に表示する２Ｄ表示モード（平面表示モード）、画像を３Ｄ表示する、すなわち、画像を立体視可能に表示する３Ｄ表示モード（立体表示モード）のいずれの表示モードで表示するかを切り替えることができる。
【００３０】
３ＤＴＶ１は、図１に示すように、３つのＨＤＭＩ（登録商標）（High-Definition Multimedia Interface）入力端子１１ａ〜１１ｃ、ＨＤＭＩスイッチ１１ｄ、ＨＤＭＩレシーバ１００、映像入力端子１０１ａ、音声入力端子１０１ｂ、ＢＤドライブ１０２、チューナ１０３、ＩＰ（Internet Protocol）放送チューナ１０４、衛星放送チューナ１０５、ＯＳＤ（On-Screen Display）生成部１０６（ＵＩ表示手段）、映像セレクタ１０７、２Ｄ／３Ｄ処理部１０８、ＬＣＤコントローラ１０９、ＬＣＤ（Liquid Crystal Display）１１０、音声セレクタ１１１、音声処理回路１１２、デジタルアンプ１１３、スピーカ１１４、イーサネット（登録商標）Ｉ／Ｆ１１５、ＲＯＭ１１６、ＲＡＭ１１７、ＣＰＵ１１８、赤外線受光部１１９、画像受信部１２０（画像受信手段）、スイッチ１２１（選択手段）、加工部１２２（加工手段）、眼鏡制御部１２３および赤外線発光部１２４を備えている。図１においては、映像信号の経路を実線で、音声信号の経路を１点鎖線で、データや制御信号の経路（バス）を太線で示している。
【００３１】
図１において、（１）ＨＤＭＩレシーバ１００が受信した映像、（２）映像入力端子１０１ａから入力された映像、（３）ＢＤドライブ１０２がＢＤ（Blu-ray Disc）から読み出した映像、（４）（地上波デジタル放送用）チューナ１０３が受信した映像、（５）ＩＰ放送チューナ１０４が受信した映像、および（６）衛星放送チューナ１０５が受信した映像は、それぞれ、映像セレクタ１０７に供給される。また、（１）ＨＤＭＩレシーバ１００が受信した音声、（２）音声入力端子１０１ｂから入力された音声、（３）ＢＤドライブ１０２がＢＤから読み出した音声、（４）チューナ１０３が受信した音声、（５）ＩＰ放送チューナ１０４が受信した音声、および（６）衛星放送チューナ１０５が受信した音声は、それぞれ、音声セレクタ１１１に供給される。なお、（１）〜（６）の映像は、動画像であってもよく、静止画像であってもよい。
【００３２】
なお、（ａ）ＨＤＭＩレシーバ１００が何れのＨＤＭＩ入力端子から入力されるコンテンツを受信するか、すなわち、ＨＤＭＩスイッチ１１ｄが何れのＨＤＭＩ入力端子から入力されたコンテンツをＨＤＭＩレシーバに供給するか、（ｂ）チューナ１０３が何れのチャンネルを介して伝送されたコンテンツを受信するか、（ｃ）ＩＰ放送チューナ１０４が何れのサーバから配信されたコンテンツを受信するか、（ｄ）衛星放送チューナ１０５が何れのチャンネルを介して伝送されたコンテンツを受信するかを決める選択制御は、ＣＰＵ１１８によって行われる。また、（ｅ）ＢＤドライブ１０２における再生、停止、早送り、巻戻し、チャプタ遷移などの再生制御も、ＣＰＵ１１８によって行われる。
【００３３】
映像セレクタ１０７は、上記（１）〜（６）の映像のうちの何れか１つを選択する。映像セレクタ１０７によって選択された映像は、２Ｄ／３Ｄ処理部１０８に供給される。なお、映像セレクタ１０７が何れの映像を選択するかは、ＣＰＵ１１８によって制御される。
【００３４】
画像受信部１２０は、携帯電話、デジタルカメラ、ＵＳＢなどの外部機器からの画像を取得するための手段である。画像受信部１２０は、外部機器が携帯電話、デジタルカメラなどである場合には、例えば、ＩｒＳＳ（Ir Simple Shot）、TransferJetなどの無線通信によって画像を取得すればよいが、これに限定されるものではなく、有線通信によって画像を取得する構成を採用してもよい。また、画像受信部１２０は、外部機器がＵＳＢなどである場合には、３ＤＴＶ１に設けられている外部機器接続用インタフェース（不図示）を介して画像を受信すればよい。
【００３５】
２Ｄ／３Ｄ処理部１０８は、映像セレクタ１０７または画像受信部１２０から供給された画像を、２Ｄ表示モードが選択されているか３Ｄ表示モードが選択されているかに応じて２Ｄ表示または３Ｄ表示のための処理を行う。２Ｄ／３Ｄ処理部１０８の詳細な構成および動作は後述する。２Ｄ／３Ｄ処理部１０８は、処理した画像を、スイッチ１２１に供給する。
【００３６】
スイッチ１２１は、２Ｄ／３Ｄ処理部１０８から供給される画像を加工部１２２に供給するか否かを切り替える。具体的には、スイッチ１２１は、２Ｄ表示モードが選択されている場合に、２Ｄ／３Ｄ処理部１０８から供給される画像を加工部１２２に供給するようスイッチを切り替え、３Ｄ表示モードが選択されている場合には、２Ｄ／３Ｄ処理部１０８から供給される画像を加算器１２５に供給するようにスイッチを切り替える。なお、スイッチ１２１の切り替えを制御する表示モードの選択は、ＣＰＵ１１８によって制御される。加工部１２２に供給されず、加算器１２５に供給されるように選択された画像を、加工前画像と呼称する。
【００３７】
加工部１２２は、スイッチ１２１から供給される画像を加工する。また、加工部１２２は、スイッチ１２１から供給される画像の画質を調整する。ここで、画像の加工とは、例えば、画像の拡大、縮小および回転などを指し、画質の調整とは、例えば、輝度、シャープネス、及び、コントラストの少なくとも何れかを変化させることを指す。加工部１２２によって加工、調整された画像は、加算器１２５に供給される。なお、画像をどの程度拡大、縮小させるか、どの程度回転させるか、画質をどのように変化させるかは、ＣＰＵ１１８によって制御される。加工部１２２から加算器１２５に供給される画像を、加工されているか否かに係わらず、加工後画像と呼称する。
【００３８】
ＯＳＤ生成部１０６は、２Ｄ表示モードが選択されている場合、加工部１２２において加工可能な加工内容をユーザに選択させるためのユーザインタフェース（以降、加工ＵＩとも呼称する）、および、ＯＳＤ画像を生成する。ＯＳＤ生成部１０６が生成した加工ＵＩ及びＯＳＤ画像は、加算器１２５に供給される。また、ＯＳＤ生成部１０６は、３Ｄ表示モードが選択されている場合には、加工ＵＩ、および、ＯＳＤ画面を生成しない。なお、加工ＵＩを生成するか否か、ＯＳＤ画像を生成するか否か、どのような加工ＵＩおよびＯＳＤ画像を生成するかは、ＣＰＵ１１８によって制御される。なお、加工ＵＩに示される加工内容は、リモコン２に備えられている加工内容を選択するボタンをユーザが押下することによって選択されればよい。
【００３９】
２Ｄ表示モードが選択されている場合には、加算器１２５は、加工部１２２とＯＳＤ生成部１０６とから供給された画像を合成し、ＬＣＤコントローラ１０９に供給する。なお、３Ｄ表示モードが選択されている場合には、加算器１２５は、スイッチ１２１から供給された画像をそのままＬＣＤコントローラ１０９に供給する。
【００４０】
ＬＣＤコントローラ１０９は、加算器１２５から供給された画像を、選択されている表示モードで表示されるようにＬＣＤ１１０を駆動する。ＬＣＤコントローラ１０９は、３Ｄ表示モードにてＬＣＤ１１０を駆動する場合には、ＬＣＤ１１０を、２Ｄ表示モードにてＬＣＤ１１０を駆動する場合の２倍の駆動周波数にて駆動する。３Ｄ表示モードの駆動周波数が２Ｄ表示モードの駆動周波数に対して２倍となるのは、左目用画像と右目用画像とを交互に表示するためである。
【００４１】
眼鏡制御部１２３は、ＬＣＤ１１０において３Ｄ画像を表示する場合に、ＬＣＤ１１０における左目用画像の表示と右目用画像信号の表示とを交互に表示する表示動作と、シャッター眼鏡の左目用シャッターと右目用シャッターとを交互に開閉するシャッター動作とが同期するように、シャッター眼鏡のシャッター動作を制御する。このための制御信号は、赤外線発光部１２４によって赤外線の信号に変換され、シャッター眼鏡に送信される。シャッター眼鏡は、赤外線の信号を受信すると、その信号の指示にしたがって左目用シャッターと右目用シャッターとを交互に開閉するシャッター動作を行う。なお、本実施形態では、制御信号を赤外線によって送信する構成を示したが、もちろんこれに限定されるものではなく、例えば、TransferJetなどによって制御信号を送信する構成を採用してもよい。
【００４２】
音声セレクタ１１１は、上記（１）〜（６）の音声のうちの何れか１つを選択する。音声セレクタ１１１によって選択された音声は、音声処理回路１１２に供給される。なお、音声セレクタ１１１が何れの音声を選択するかは、ＣＰＵ１１８によって制御される。ただし、映像セレクタ１０７における映像の選択と、音声セレクタ１１１における音声の選択とは連動しており、例えば、映像セレクタ１０７がＨＤＭＩレシーバ１００から供給された映像を選択しているときには、音声セレクタ１１１もＨＤＭＩレシーバ１００から供給された音声を選択する。
【００４３】
音声処理回路１１２は、音声セレクタ１１１から供給された音声の音量及び音質を調整する。ここで、音質の調整とは、音声セレクタ１１１から供給された音声の周波数特性を変化させること（例えば、低域の強調や高域の強調など）を指す。音声処理回路１１２によって音量及び音質を調整された音声は、デジタルアンプ１１３に供給される。なお、音声処理回路１１２によって音量及び音質をどのように変化させるかは、ＣＰＵ１１８によって制御される。
【００４４】
デジタルアンプ１１３は、音声処理回路１１２から供給された音声が出力されるようにスピーカ１１４を駆動する。これにより、音声セレクタ１１１により選択された音声がスピーカ１１４から出力される。
【００４５】
ＣＰＵ１１８は、ＨＤＭＩレシーバ１００、ＢＤドライブ１０２、チューナ１０３、ＩＰ放送チューナ１０４、衛星放送チューナ１０５、および、画像受信部１２０において取得される画像の種類（２Ｄ画像であるか３Ｄ画像であるか）を判定する。判定する方法としては、例えば、上記各部において取得された画像のファイル名の通知を受け付け、通知されたファイル名に付加されている拡張子に基づいて画像の種類を判定する方法を挙げることができる。例えば、通知された拡張子がｊｐｅｇである場合に２Ｄ画像であると判定し、拡張子がｍｐｏである場合に３Ｄ画像であると判定することができる。なお、ＣＰＵ１１８が画像の種類を、画像受信部１２０から通知された画像の拡張子に基づいて判定する構成を例に挙げて説明したが、これに限定されるものではなく、例えば、直接画像を取得し、取得した画像から種類を判定する構成を採用してもよい。
【００４６】
また、ＣＰＵ１１８は、判定した画像の種類、および、赤外線受光部１１９が受信したリモコン信号に応じて３ＤＴＶ１の各部を制御する。赤外線受光部１１９を用いた制御としては、例えば、リモコン２に設けられた２Ｄ表示モードと３Ｄ表示モードとを切り替える３Ｄボタンが押下されたことを示すリモコン信号に応じて表示モードを２Ｄ表示モードと３Ｄ表示モードとを切り替える制御、ＩＰ放送チューナ１０４にて選択するチャンネルをリモコン信号に応じて切り替える制御、映像セレクタ１０７及び音声セレクタ１１１にて選択する映像及び音声をリモコン信号に応じて切り替える制御などが挙げられる。なお、ＣＰＵ１１８は、２Ｄ／３Ｄ処理部１０８、スイッチ１２１および加工部１２２を制御することによって、画像の２Ｄ表示と３Ｄ表示とを切り替える制御を行う。なお、リモコン２の構成については後述する。
【００４７】
また、ＣＰＵ１１８は、ＨＤＭＩレシーバ１００が外部装置から受信したＣＥＣ（Consumer Electronics Control）コマンドを実行したり、ＨＤＭＩレシーバ１００が外部装置に送信するＣＥＣコマンドを生成したりすることによって、外部装置との連携動作を実現する。
【００４８】
ＲＯＭ１１６は、ＣＰＵ１１８によって実行されるプログラムなどの固定データが格納されるメモリである。ＯＳＤ画像を生成するためにＯＳＤ生成部１０６が参照するデータなども、このＲＯＭ１１６に格納される。一方、ＲＡＭ１１７は、ＣＰＵ１１８が演算のために参照するデータ、およびＣＰＵ１１８が演算によって生成したデータなどの可変データが格納される、読み出し可能かつ書き込み可能なメモリである。なお、ＲＡＭ１１７は、ハードディスクドライブであってもよいし、Ｆｌａｓｈメモリであってもよい。
【００４９】
イーサネットＩ／Ｆ１１５は、３ＤＴＶ１をネットワークに接続するためのインタフェースである。上述したＩＰ放送チューナ１０４は、このイーサネットＩ／Ｆ１１５を介してインターネット上のサーバにアクセスする。
【００５０】
〔２Ｄ／３Ｄ処理部の構成〕
２Ｄ／３Ｄ処理部の詳細な構成および動作について図３を用いて説明する。図３は図１に示した２Ｄ／３Ｄ処理部１０８の構成を示すブロック図である。図３に示すように、２Ｄ／３Ｄ処理部１０８は、スイッチ１３０（モード切替手段）、３Ｄ−２Ｄ変換部１３１、２Ｄ−３Ｄ変換部１３２および３Ｄ処理部１３３を備えている。
【００５１】
スイッチ１３０は、ＣＰＵ１１８からの制御指示に基づいて、映像セレクタ１０７から供給される映像、または、画像受信部１２０から供給される画像を２Ｄ表示モードで表示するか３Ｄ表示モードで表示するかの表示モードを切り替える。具体的には、供給される画像が２Ｄ画像であり、表示モードが２Ｄ表示モードである場合には、ＣＰＵ１１８からの制御指示に基づいて接続先を端子ａに切り替え、画像が３Ｄ画像であり、表示モードが３Ｄ表示モードである場合には、ＣＰＵ１１８からの制御指示に基づいて接続先を端子ｃに切り替える。また、画像が２Ｄ画像である場合にＣＰＵ１１８から３Ｄ表示を行う制御指示がされたとき接続先を端子ｄに切り替え、画像が３Ｄ画像である場合にＣＰＵ１１８から２Ｄ表示を行う制御指示がされたとき接続先を端子ｂに切り替える。なお、スイッチ１３０の切り替えの詳細については、図８を参照して後述する。
【００５２】
３Ｄ−２Ｄ変換部１３１は、端子ｂに供給される３Ｄ画から、疑似２Ｄ画像を生成する。具体的には、左目用画像および右目用画像からなる３Ｄ画像から左目用画像を抽出することにより、疑似２Ｄ画像を生成する。なお、抽出する画像は左目用画像に限定されることはなく、右目用画像を抽出し、抽出した右目用画像を疑似２Ｄ画像としてもよい。
【００５３】
２Ｄ−３Ｄ変換部１３２は、端子ｄに供給される２Ｄ画像から、疑似３Ｄ画像を生成する。具体的には、２Ｄ画像を左目用画像と見なし、左目用画像とした２Ｄ画像に対して視差を有する疑似右目用画像を生成することで、２Ｄ画像と２Ｄ画像に対して視差を有する擬似右目用画像とからなる擬似３Ｄ画像を生成する。なお、２Ｄ画像を右目用画像と見なし、２Ｄ画像に対して視差を有する疑似左目用画像を生成することで疑似３Ｄ画像を生成してもよい。
【００５４】
３Ｄ処理部１３３は、供給される３Ｄ画像または疑似３Ｄ画像の３Ｄ方式に応じて画像を処理し、スイッチ１２１に供給する。具体的には、３Ｄ処理部１３３は、３Ｄ画像または疑似３Ｄ画像を構成する左目用画像と右目用画像とをそれぞれ交互に抽出してスイッチ１２１に供給する。
【００５５】
また、３Ｄ処理部１３３は、右目用画像と左目用画像との両方を含む画像からなる３Ｄ画像（サイドバイサイド方式またはトップアンドボトム方式）を、右目用画像のみを含む右目用画像と左目用画像のみを含む左目用画像とからなる３Ｄ画像に変換する。例えば、変換前の画像がサイドバイサイド方式の画像である場合、３Ｄ処理部１３３は、（１）変換前の３Ｄ画像を構成する各画像の右半分を横方向に２倍に拡大することによって右目用画像を生成し、（２）変換前の３Ｄ画像を構成する各画像の左半分を横方向に２倍に拡大することによって左目用画像を生成し、（３）生成した右目用画像と左目用画像とを交互に供給する。
【００５６】
（リモコンの構成）
次に、リモコン２の構成について、図４を参照して説明する。図４は、本実施形態に係るシステムにおけるリモコン２の操作面の一例を示す平面図である。
【００５７】
図４に示すように、リモコン２には、３ＤＴＶ１の表示モードである２Ｄ表示モードと３Ｄ表示モードとを切り替える３Ｄボタン２１０が備えられている。
【００５８】
また、リモコン２には、加工ＵＩに示される加工内容のうち、画像の回転の加工を選択する青ボタン２１１、画像の拡大を選択する赤ボタン２１２、画像の縮小を選択する緑ボタン２１３、画像の加工を解除して画像を元の状態に戻す黄ボタン２１４が備えられている。以降、青ボタン２１１、赤ボタン２１２、緑ボタン２１３、黄ボタン２１４をまとめて選択ボタンとも呼称する。
【００５９】
もちろん、３Ｄボタン２１０、選択ボタンの用途は、これに限定されるものではない。
【００６０】
〔３ＤＴＶの動作〕
次に、３ＤＴＶ１の具体的な動作について、図５から図７を参照して説明する。
【００６１】
（表示モードの選択処理）
まず、取得した画像が２Ｄ画像であるか３Ｄ画像であるかによって表示モードを選択する、ＣＰＵ１１８の表示モード選択処理について説明する。本項では、画像受信部１２０において外部機器から画像を取得する場合を例に挙げて説明する。
【００６２】
画像受信部１２０は、外部機器から画像を取得すると、取得した画像を２Ｄ／３Ｄ処理部１０８に供給すると共に、取得した画像のファイル名をＣＰＵ１１８に通知する。
【００６３】
ＣＰＵ１１８は、画像受信部１２０から通知されたファイル名に付加されている拡張子に基づいて画像の種類を判定する。
【００６４】
まず、画像受信部１２０において取得した画像が２Ｄ画像である場合の表示モードの選択処理について説明する。
【００６５】
ＣＰＵ１１８は、画像受信部１２０において取得した画像が２Ｄ画像であると判定した場合、表示モードとして２Ｄ表示モードを選択する旨の選択指示をスイッチ１３０に通知すると共に、表示対象画像を加工後画像とする、すなわち、加工部１２２において加工された画像が加算器１２５を介してＬＣＤコントローラ１０９に供給されるようにスイッチを切り替える指示をスイッチ１２１に通知する。また、ＣＰＵ１１８は、加工ＵＩを生成するようにＯＳＤ生成部１０６に通知する。
【００６６】
ＣＰＵ１１８からのこれらの通知に基づいて、スイッチ１３０は接続先を端子ａに切り替え、スイッチ１２１は画像を加工部１２２に供給するように端子を切り替え、ＯＳＤ生成部１０６は加工ＵＩを生成する。
【００６７】
スイッチ１３０の端子ａからスイッチ１２１に供給され、スイッチ１２１を介してから加工部１２２を介して加算器１２５に供給された加工後画像である表示対象画像は、加算器１２５において重畳された加工ＵＩと共に、ＬＣＤコントローラ１０９に供給される。ＬＣＤコントローラ１０９は、供給された表示対象画像を２Ｄ表示モードで表示し、さらに加工ＵＩを重畳して表示するようＬＣＤ１１０を駆動する。
【００６８】
また、ＣＰＵ１１８は、２Ｄ表示モードで表示している画像に重畳して表示されている加工ＵＩに示される加工内容のうち、いずれかの加工内容を選択するユーザ指示を赤外線受光部１１９を介して取得すると、取得した加工内容に基づいて画像を加工するよう加工部１２２に通知する。
【００６９】
加工部１２２は、ＣＰＵ１１８からの通知に基づいて画像を加工し、表示対象画像として加工後画像を加算器１２５に供給する。加算器１２５は、加工部１２２から供給される加工後画像にＯＳＤ生成部１０６から供給される加工ＵＩを重畳してＬＣＤコントローラ１０９に供給する。ＬＣＤコントローラ１０９は、供給された表示対象画像を２Ｄ表示モードで表示し、さらに加工ＵＩを重畳して表示するようＬＣＤ１１０を駆動する。
【００７０】
ここで、２Ｄ表示モードにおいてＬＣＤ１１０に表示される画像及び加工ＵＩの一例を、図５に示す。図５（ａ）は加工部１２２において何も加工されていない（すなわち、画像を元に戻すという加工内容を示す黄ボタン１２４が押下された状態と同一）加工後画像に加工ＵＩが重畳されて表示される場合の画像及び加工ＵＩの一例であり、図５（ｂ）は、加工部１２２において拡大加工された加工後画像に加工ＵＩが重畳されて表示される場合の画像及び加工ＵＩの一例である。
【００７１】
図５（ａ）に示すように、表示対象画像が加工後画像であるが、ユーザによって加工ＵＩの加工内容が選択されていない場合には、加工部１２２において加工されていない加工後画像に加工ＵＩが重畳され、２Ｄ表示モードで表示される。
【００７２】
また、ユーザによってリモコン２が備える赤ボタン２１２が押下されり、すなわち、画像の拡大である加工内容が選択された場合、図５（ｂ）に示すように、加工部１２２において拡大の加工処理が行われた加工後画像に加工ＵＩが頂上され、２Ｄ表示モードで表示される。
【００７３】
次に、画像受信部１２０において取得した画像が３Ｄ画像である場合の表示モードの選択処理について説明する。
【００７４】
ＣＰＵ１１８は、画像受信部１２０において取得した画像が３Ｄ画像であると判定した場合、表示モードとして３Ｄ表示モードを選択する旨の選択指示をスイッチ１３０に通知すると共に、表示対象画像を加工前画像とする、すなわち、画像を加工部１２２に供給せず直接加算器１２５を介してＬＣＤコントローラ１０９に供給する旨の指示をスイッチ１２１に通知する。また、ＣＰＵ１１８は、加工ＵＩの生成を停止するようにＯＳＤ生成部１０６に通知する。
【００７５】
ＣＰＵ１１８からの通知に基づいて、スイッチ１３０は接続先を端子ｃに切り替え、スイッチ１２１は画像を直接加算器１２５に供給するように端子を切り替える。また、ＯＳＤ生成部１０６は加工ＵＩの生成を停止する。
【００７６】
スイッチ１３０の端子ｃからスイッチ１２１に供給され、スイッチ１２１から直接加算器１２５に供給された加工前画像である表示対象画像は、加算器１２５を介してＬＣＤコントローラ１０９に供給される。ＬＣＤコントローラ１０９は、供給された表示対象画像を３Ｄ表示モードで表示するようＬＣＤ１１０を駆動する。
【００７７】
また、図６に、３Ｄ表示モードにおいてＬＣＤ１１０に表示される画像の一例を示す。図６は、３Ｄ表示モードにおいてＬＣＤ１１０に表示される画像の一例を示す図である。
【００７８】
図６に示すように、３Ｄ表示モードでは、表示対象画像が加工前画像であるため表示対象画像は加工部１２２を介さず加算器１２５に供給され、さらに、ＯＳＤ生成部１０６において加工ＵＩが生成されないため、画像受信部１２０において取得された画像がそのままＬＣＤ１１０に３Ｄ表示モードで表示される。
【００７９】
なお、本実施形態では、２Ｄ画像を取得した場合には２Ｄ表示モードにて表示を行い、３Ｄ画像を取得した場合には３Ｄ表示モードにて表示を行う表示モードの選択処理を例に挙げて説明したが、もちろんこれに限定されるものではない。例えば、２Ｄ画像、３Ｄ画像のいずれの画像を取得した場合にも２Ｄ表示モードで表示を行う表示モードの選択処理、２Ｄ画像、３Ｄ画像のいずれの画像を取得した場合にも３Ｄ表示モードで表示を行う表示モードの選択処理などを採用してもよい。
【００８０】
（表示モードの切替処理）
次に、リモコンに設けられた３Ｄボタン２１０を押下することによって行われる、ユーザによる表示モード切替指示がなされた場合の、ＣＰＵ１１８の表示モード切替処理について図７を参照して説明する。図７は、ＣＰＵ１１８の表示モード切替処理の流れを示すフローチャートである。
【００８１】
まず、ＣＰＵ１１８は、上述した表示モード選択処理において表示モードが選択され、画像が表示されている状態で、赤外線受光部１１９を介してユーザによる表示モード切替指示を取得すると、表示モード切替指示を取得した時点での表示モード（以降、現在の表示モードとも呼称する）を判定する（ステップＳ１）。
【００８２】
ＣＰＵ１１８は、現在の表示モードが２Ｄ表示モードでないと判定した場合（ステップＳ１においてＮＯ）、すなわち、現在の表示モードが３Ｄ表示モードである場合、表示モードを３Ｄ表示モードから２Ｄ表示モードに切り替えるように２Ｄ／３Ｄ処理部１０８に通知する（ステップＳ２）。すなわち、ＣＰＵ１１８は、３Ｄ表示モードで表示されている３Ｄ画像を疑似２Ｄ画像に変換する旨の指示を２Ｄ／３Ｄ処理部１０８に通知する。
【００８３】
ＣＰＵ１１８から表示モードを３Ｄ表示モードから２Ｄ表示モードに切り替える指示が通知されると、２Ｄ／３Ｄ処理部１０８が備えるスイッチ１３０は、接続先を端子ｂに切り替える。スイッチ１３０の端子ｂを介して３Ｄ−２Ｄ変換部１３１に供給された３Ｄ画像は、３Ｄ−２Ｄ変換部１３１において疑似２Ｄ画像に変換され、２Ｄ／３Ｄ処理部１０８から出力される。
【００８４】
ＣＰＵ１１８は、２Ｄ／３Ｄ処理部１０８に表示モードを切り替える旨の指示を通知すると、スイッチ１２１に対し、表示対象画像を加工後画像に切り替えるよう通知する。ＣＰＵ１１８から表示対象画像を加工後画像に切り替える旨の指示が通知されると、スイッチ１２１は、２Ｄ／３Ｄ処理部１０８から供給される疑似２Ｄ画像を加工部１２２を介して加算器１２５に供給するよう接続先を切り替える（ステップＳ３）。
【００８５】
ＣＰＵ１１８は、スイッチ１２１に対し表示対象画像を加工後画像に切り替える旨の指示を通知すると、ＯＳＤ生成部１０６に、加工ＵＩを生成する旨の指示を通知する。ＣＰＵ１１８から加工ＵＩを生成する旨の指示が通知されると、ＯＳＤ生成部１０６は、加工ＵＩを生成し、加算器１２５に供給する。加算器１２５は、加工部１２２から供給される加工後画像と加工ＵＩとをＬＣＤコントローラ１０９に供給し、ＬＣＤコントローラ１０９は、加工後画像に加工ＵＩを重畳して表示するようＬＣＤ１１０を駆動する。（ステップＳ４）
次に、ＣＰＵ１１８は、加工ＵＩに示す加工内容を選択するユーザ指示、すなわち、現在表示されている加工後画像の加工内容を変更する指示（以降、加工内容変更指示とも呼称する）がされるか否かを判定する（ステップＳ５）。
【００８６】
ＣＰＵ１１８は、加工内容変更指示を赤外線受光部１１９を介して取得すると、加工部１２２に対し、取得した加工内容変更指示を通知する（ステップＳ６）。
【００８７】
加工部１２２は、ＣＰＵ１１８から通知される加工内容変更指示に基づいて、画像の加工内容を変更し、加工後画像を加算器１２５を介してＬＣＤコントローラ１０９に供給し、ＬＣＤコントローラ１０９は、加工部１２２から供給された加工後画像に加工ＵＩを重畳して２Ｄ表示モードで表示するようＬＣＤ１１０を駆動する。
【００８８】
また、ＣＰＵ１１８は、現在の表示モードが２Ｄ表示モードであると判定した場合（ステップＳ１においてＹＥＳ）、表示モードを２Ｄ表示モードから３Ｄ表示モードに切り替えるように２Ｄ／３Ｄ処理部１０８に通知する（ステップＳ７）。すなわち、ＣＰＵ１１８は、２Ｄ表示モードで表示されている２Ｄ画像を疑似３Ｄ画像に変換する旨の指示を２Ｄ／３Ｄ処理部１０８に通知する。ＣＰＵ１１８から表示モードを２Ｄ表示モードから３Ｄ表示モードに切り替える指示が通知されると、２Ｄ／３Ｄ処理部１０８が備えるスイッチ１３０は、接続先を端子ｄに切り替える。スイッチ１３０の端子ｄを介して２Ｄ−３Ｄ変換部１３２に供給された２Ｄ画像は、２Ｄ−３Ｄ変換部１３２において疑似３Ｄ画像に変換された後、３Ｄ処理部１３３において処理され、２Ｄ／３Ｄ処理部１０８から出力される。
【００８９】
ＣＰＵ１１８は、２Ｄ／３Ｄ処理部１０８に表示モードを切り替える旨の指示を通知すると共に、スイッチ１２１に対し、表示対象画像を加工前画像に切り替えるよう通知する。ＣＰＵ１１８から表示対象画像を加工前画像に切り替える旨の指示が通知されると、スイッチ１２１は、２Ｄ／３Ｄ処理部１０８から供給される疑似３Ｄ画像を加算器１２５に直接供給するよう接続先を切り替える（ステップＳ８）。
【００９０】
ＣＰＵ１１８は、スイッチ１２１に対し表示対象画像を加工前画像に切り替える旨の指示を通知すると、ＯＳＤ生成部１０６に、加工ＵＩの生成を停止する旨の指示を通知する（ステップＳ９）。
【００９１】
ＣＰＵ１１８から加工ＵＩの生成を停止する旨の指示が通知されると、ＯＳＤ生成部１０６は、加工ＵＩの生成を停止すると共に、加算器１２５への供給を停止する。加算器１２５は、スイッチ１２１から供給される加工前画像をＬＣＤコントローラ１０９に供給し、ＬＣＤコントローラ１０９は、加工前画像を３Ｄ表示モードで表示するようＬＣＤ１１０を駆動する。
【００９２】
ステップＳ４の後に２Ｄ表示モードから３Ｄ表示モードに表示モードを切り替える切替指示を取得した場合、すなわち、赤外線受光部１１９を介して取得したユーザ指示が加工内容の変更指示でない場合（ステップＳ５においてＮＯ）、または、ステップＤ９の後に３Ｄ表示モードから２Ｄ表示モードに表示モードを切り替える切替指示を取得した場合、再びステップＳ１からの動作が繰り返される。
【００９３】
また、上述した表示モードの選択処理、又は、表示モードの切替処理の途中で、画像受信部１２０を介して新しい画像が取得された場合には、表示モードの選択処理が始めから行われる。
【００９４】
〔３ＤＴＶの４状態〕
次に、取得される画像の種類と、３ＤＴＶ１の表示モードとの関係を、図８及び図９を参照して説明する。図８は、新しく画像を取得したことによって画像の種類が変化した場合、及び、リモコンの３Ｄボタン２１０が押下されることによって表示モードが切り替えられた場合の状態遷移を示す状態遷移図である。図９は、画像の種類と表示モードとの関係を示した図である。
【００９５】
図８及び図９に示すように、画像の種類と表示モードとの関係により、２Ｄ／３Ｄ処理部１０８が備えるスイッチ１３０は下記の４つの状態を取り得る。
【００９６】
状態Ａ：取得した画像の種類が２Ｄ画像であり、３ＤＴＶ１の表示モードが２Ｄ表示モードである状態。このとき、スイッチ１３０は、接続先を端子ａに切り替える。
【００９７】
状態Ｂ：取得した画像の種類が２Ｄ画像であり、３ＤＴＶ１の表示モードが３Ｄ表示モードである状態。このとき、スイッチ１３０は、接続先を端子ｄに切り替える。
【００９８】
状態Ｃ：取得した画像の種類が３Ｄ画像であり、３ＤＴＶ１の表示モードが２Ｄ表示モードである状態。このとき、スイッチ１３０は、接続先を端子ｂに切り替える。
【００９９】
状態Ｄ：取得した画像の種類が３Ｄ画像であり、３ＤＴＶ１の表示モードが３Ｄ表示モードである状態。このとき、スイッチ１３０は、接続先を端子ｃに切り替える。
【０１００】
また、画像を取得した時点でスイッチ１３０が状態Ａになるのは、２Ｄ画像を取得したときに２Ｄ表示モードで表示され、３Ｄ画像を取得したときに３Ｄ表示モードで表示される設定（以降、条件ａとする）がされている場合、又は、取得した画像が２Ｄ画像であるか３Ｄ画像であるかにかかわらず２Ｄ表示モードで表示される設定（以降、条件ｂとする）がされている場合である。
【０１０１】
画像を取得した時点で３ＤＴＶ１が状態Ｂになる場合は、取得した画像が２Ｄ画像であるか３Ｄ画像であるかにかかわらず３Ｄ表示モードで表示される設定（以降、条件ｃとする）がされている場合である。
【０１０２】
画像を取得した時点で３ＤＴＶ１が状態Ｃになる場合は、条件ｂの設定がされている場合である。
【０１０３】
画像を取得した時点で条件ａの設定がされている場合、又は、条件ｃの設定がされている場合である。
【０１０４】
なお、条件ａ〜ｃは、ＯＳＤ生成部１０６によって生成された条件設定画面に基き、ユーザがリモコン操作などによって設定することで実現することができる。例えば、条件設定画面では、条件ａ〜ｃのいずれの条件を有効にするかの設定が可能であり、基本の設定として条件ａが設定されていてもよいが、これに限定されるものではない。
【０１０５】
（状態Ａからの遷移）
図８に示すように、３ＤＴＶ１の状態が状態Ａであるときにユーザからの表示モードの切替指示を取得すると、上述した表示モードの切替処理が行われ、状態Ｂに遷移する。また、状態Ａから状態Ｂに遷移した後にユーザからの表示モードの切替指示を取得すると、上述した表示モードの切替処理が行われ、再び状態Ａに遷移する。
【０１０６】
条件ａの設定がされている場合、３ＤＴＶ１の状態が状態Ａであるときに新たに取得した画像の種類が３Ｄ画像であるとき、上述する表示モードの選択処理が行われ、状態Ｄに遷移する。また、状態Ａから状態Ｄに遷移した後に新たに取得した画像の種類が２Ｄ画像であるとき、上述する表示モードの選択処理が行われ、再び状態Ａに遷移する。
【０１０７】
条件ｂの設定がされている場合、３ＤＴＶ１の状態が状態Ａであるときに新たに取得した画像の種類が３Ｄ画像であるとき、上述する表示モードの選択処理が行われ、状態Ｃに遷移する。また、状態Ａから状態Ｃに遷移した後に新たに取得した画像の種類が２Ｄ画像であるとき、上述する表示モードの選択処理が行われ、再び状態Ａに遷移する。
【０１０８】
なお、状態Ａに遷移するときには、スイッチ１３０の接続先は端子ａに切り替えられる。
【０１０９】
（状態Ｂからの遷移）
条件ｃの設定がされている場合、３ＤＴＶ１の状態が状態Ｂであるときに新たに取得した画像の種類が３Ｄ画像であるとき、上述する表示モードの選択処理が行われ、状態Ｄに遷移する。また、状態Ｂから状態Ｄに遷移した後に新たに取得した画像の種類が２Ｄ画像であるとき、上述する表示モードの選択処理が行われ、再び状態Ｄに遷移する。
【０１１０】
なお、状態Ｂに遷移するときには、スイッチ１３０の接続先は端子ｄに切り替えられる。
【０１１１】
（状態Ｃからの遷移）
条件ｂの設定がされている場合、３ＤＴＶ１の状態が状態Ｃであるときに新たに取得した画像の種類が２Ｄ画像であるとき、上述する表示モードの選択処理が行われ、状態Ａに遷移する。また、状態Ａから状態Ｂに遷移した後に新たに取得した画像の種類が３Ｄ画像であるとき、上述する表示モードの選択処理が行われ、再び状態Ａに遷移する。
【０１１２】
なお、状態Ｃに遷移するときには、スイッチ１３０の接続先は端子ｂに切り替えられる。
【０１１３】
（状態Ｄからの遷移）
３ＤＴＶ１の状態が状態Ｄであるときにユーザからの表示モードの切替指示を取得すると、上述した表示モードの切替処理が行われ、状態Ｃに遷移する。また、状態Ｄから状態Ｃに遷移した後にユーザからの表示モードの切替指示を取得すると、上述した表示モードの切替処理が行われ、再び状態Ｄに遷移する。
【０１１４】
条件ａの設定がされている場合、３ＤＴＶ１の状態が状態Ｄであるときに新たに取得した画像の種類が２Ｄ画像であるとき、上述する表示モードの選択処理が行われ、状態Ａに遷移する。また、状態Ｄから状態Ａに遷移した後に新たに取得した画像の種類が３Ｄ画像であるとき、上述する表示モードの選択処理が行われ、再び状態Ｄに遷移する。
【０１１５】
条件ｂの設定がされている場合、３ＤＴＶ１の状態が状態Ｄであるときに新たに取得した画像の種類が２Ｄ画像であるとき、上述する表示モードの選択処理が行われ、状態Ｂに遷移する。また、状態Ｄから状態Ｂに遷移した後に新たに取得した画像の種類が３Ｄ画像であるとき、上述する表示モードの選択処理が行われ、再び状態Ｄに遷移する。
【０１１６】
なお、状態Ｄに遷移するときには、スイッチ１３０の接続先は端子ｃに切り替えられる。
【０１１７】
（動作モードが切り替えられた場合の表示状態の遷移）
次に、図９を参照して、状態Ａ〜Ｄでの表示の状態を説明する。
【０１１８】
図９に示すように、状態Ａ〜Ｄのうち、状態Ａ及び状態Ｃと、状態Ｂ及びＤとにおいて、ユーザインタフェースの表示／非表示、及び、表示モードが切り替えられた場合の表示対象画像が異なっている。
【０１１９】
図９において、ユーザによりリモコン２の３Ｄボタン２１０が押下されることによって、状態Ａから状態Ｂに遷移した後再び状態Ａに遷移した場合について説明する。
【０１２０】
状態Ａにおいては、２Ｄ画像に重畳して加工ＵＩが表示されており、画像の加工が可能である。状態Ａから状態Ｂに遷移すると、３Ｄ画像に重畳して加工ＵＩは表示されず、さらに、状態Ａにおいて画像が加工される前の加工前画像を表示対象画像に切り替えられる。さらに状態Ｂから状態Ａに遷移すると、２Ｄ画像に再び加工ＵＩが重畳されて表示され、状態Ｂに遷移する直前の状態Ａにおいて行われていた加工内容を再び適用した加工後画像を表示対象画像に切り替えられる。
【０１２１】
また、ユーザによりリモコン２の３Ｄボタン２１０が押下されることによって、状態Ｄから状態Ｃに遷移した後再び状態Ｄに遷移した場合について説明する。
【０１２２】
状態Ｄにおいては、３Ｄ画像に重畳して加工ＵＩが表示されることがないので、３Ｄ画像の加工を行うことはできないようになっている。状態Ｄから状態Ｃに遷移すると、２Ｄ画像に重畳して加工ＵＩが表示されて画像の加工を可能にし、表示対象画像を加工後画像に切り替えられる。さらに状態Ｃから状態Ｄに遷移すると、２Ｄ表示の際に表示していた加工ＵＩを非表示にし、状態Ｃに遷移する直前の状態Ａにおいて行われていた加工内容を再び適用した加工後画像を表示対象画像に切り替えられる。
【０１２３】
＜変形例＞
本実施形態では、加工部１２２において拡大、縮小、回転などの加工が行われているときに表示モードを切り替える場合を例に挙げて説明したが、これに限定されるものではない。
【０１２４】
例えば、イーサネットＩ／Ｆ１１５を介してネットワークから取得した、文字データなどが重畳される加工が行なわれている画像の表示モードを切り替える場合、画像受信部１２０を介して取得した画像及びネットワークから取得した画像など、２つの画像を同時に表示可能なように画像同士を合成する加工が行われているときに表示モードを切り替える場合、縮小する加工が行われている画像を複数表示するサムネイル表示が行われているときに、特定の画像の表示モードを切り替える場合などにも、上述した表示モードの選択処理、切替処理を行ってもよい。
【０１２５】
文字データなどが重畳される加工が行なわれている画像の表示モードを切り替える場合を、図１０を参照して説明する。図１０は、文字データなどが重畳される加工が行なわれている画像の各表示モードにおける表示の一例を示す図である。（ａ）は、取得した画像が２Ｄ表示モードにて表示される場合の表示の一例を示し、（ｂ）は、取得した画像が３Ｄ表示モードにて表示される場合の表示の一例を示している。
【０１２６】
図１０（ａ）に示すように、イーサネットＩ／Ｆ１１５を介してネットワークから取得する画像には、文字データなどが混在するように加工されているものが多い。このような画像を３Ｄ表示モードで表示する場合には、図１０（ｂ）に示すように、表示させるべき画像以外の文字データなどを混在させる加工が行われる前の加工前画像を表示対象画像として選択し、３Ｄ表示を行えばよい。
【０１２７】
また、２つの画像を同時に表示可能なように、画像同士を合成する加工が行われている画像の表示モードを切り替える場合を、図１１を参照して説明する。図１１は、画像同士を合成する加工が行われている画像を表示する場合の各表示モードにおける表示の一例を示す図である。（ａ）は、２つの画像が２Ｄ表示モードにて同時に表示される場合の表示の一例を示し、（ｂ）は、２つの画像のうち一方が３Ｄ表示モードにて表示される場合の表示の一例を示している。
【０１２８】
図１１（ａ）に示すように、２Ｄ表示モードでは、例えば、画像受信部１２０を介して取得した画像、イーサネットＩ／Ｆ１１５を介してネットワークから取得した画像とを同時に表示する、２画面表示が可能である。このような２画面表示が行われているときに表示モードが３Ｄ表示モードに切り替えられた場合には、図１１（ｂ）に示すように、表示させるべき画像以外の画像を同時に表示する加工が行われる前の加工前画像を表示対象画像として選択し、３Ｄ表示を行えばよい。
【０１２９】
また、ホームネットワークなどにおいて、縮小する加工が行われている画像を複数表示するサムネイル表示が行われているときに、表示モードを切り替える場合を、図１２を参照して説明する。図１２は、サムネイル表示されている画像の各表示モードにおける表示状態の一例を示す図である。（ａ）は、２Ｄ表示モードにてサムネイル表示している場合の表示の一例を示し、（ｂ）は、サムネイル表示される画像のうち、特定の画像を３Ｄ表示モードにて表示している場合の表示の一例を示している。
【０１３０】
図１２（ａ）に示すように、２Ｄ表示モードでは、複数の画像に対して画像の縮小の加工を行うことにより、複数の縮小された画像を同時に表示するサムネイル表示が可能である。このようなサムネイル表示を行っているときに、特定の画像（例えば、図１２（ａ）において、ファイル名が「ｂｂｂｂ」である画像）の表示モードが３Ｄ表示モードに切り替えられた場合には、図１２（ｂ）に示すように、画像を縮小する加工が行われるまえの加工前画像を表示対象画像として選択し、３Ｄ表示を行えばよい。
【０１３１】
上述したように、表示モードが３Ｄ表示モードに切り替えられた場合には、加工前画像を表示対象画像として選択することにより、ユーザの目に負担のかかる表示を避けることができる。
【０１３２】
本発明は上述した各実施形態に限定されるものではなく、請求項に示した範囲で種々の変更が可能である。
【０１３３】
（プログラムおよび記録媒体）
最後に、３ＤＴＶ１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１３４】
後者の場合、３ＤＴＶ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである３ＤＴＶ１の制御プログラムのプログラムコード（実行形式プログラム、中間コードプログラム、ソースプログラム）をコンピュータで読み取り可能に記録した記録媒体を、上記３ＤＴＶ１に供給し、そのコンピュータ（またはＣＰＵやＭＰＵ）が記録媒体に記録されているプログラムコードを読み出し実行することによっても、達成可能である。
【０１３５】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１３６】
また、３ＤＴＶ１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１３７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３８】
本発明は、３Ｄ表示が可能なテレビ、パーソナルコンピュータ、カーナビゲーションシステムなどに好適に適用することができる。
【符号の説明】
【０１３９】
１          ３ＤＴＶ（表示装置）
２          リモコン
３          シャッター眼鏡
１０６      ＯＳＤ生成部（ＵＩ表示手段）
１０８      ２Ｄ／３Ｄ処理部
１０９      ＬＣＤコントローラ（警告表示処理部）
１１０      ＬＣＤ
１１８      ＣＰＵ
１１９      赤外線受光部
１２０      画像受信部（画像受信手段）
１２１      スイッチ（選択手段）
１２２      加工部（加工手段）
１２５      加算器
１３０      スイッチ（モード切替手段）
１３１      ３Ｄ−２Ｄ変換部
１３２      ２Ｄ−３Ｄ変換部
１３３      ３Ｄ処理部
２１０      ３Ｄボタン
【図１】
0005496803.tif 000002
【図２】
0005496803.tif 000003
【図３】
0005496803.tif 000004
【図４】
0005496803.tif 000005
【図５】
0005496803.tif 000006
【図６】
0005496803.tif 000007
【図７】
0005496803.tif 000008
【図８】
0005496803.tif 000009
【図９】
0005496803.tif 000010
【図１０】
0005496803.tif 000011
【図１１】
0005496803.tif 000012
【図１２】
0005496803.tif 000013